(57)【要約】【課題】本発明は、利用時間情報を個室トイレの外部にも表示させることで必要最低限の利用時間で済ませることを促すことが出来、多くのトイレ利用者の不快感を解消することも出来、次の利用者もすみやかに快適な利用ができ、また、個室トイレ内で体調を壊した利用者に対しても速やかな対処を行うことさえもできる個室用扉と扉枠に設けられたピクトサイン装置を提供することを目的とする。【解決手段】本発明は、扉に、男性あるいは女性を模った枠部材を扉から扉に隣接する扉枠の表面側に跨がる様に延出して取り付け、扉に隣接する扉枠には、前記枠部材の男性あるいは女性を模った図形で囲まれた空間内に収まる形状とされた照明部が設けられ、閉扉時には、前記枠部材の男性あるいは女性を模った図形で囲まれた空間内に前記照明部が収納されて、重なり合い一体型のピクトサイン装置となることを特徴とする。【選択図】  図１
2019208547.tif 000002
【特許請求の範囲】
【請求項１】
扉に、男性あるいは女性を模った枠部材を扉から扉に隣接する扉枠の表面側に跨がる様に延出して取り付け、
扉に隣接する扉枠には、前記枠部材の男性あるいは女性を模った図形で囲まれた空間内に収まる形状とされた照明部が設けられ、
閉扉時には、前記枠部材の男性あるいは女性を模った図形で囲まれた空間内に前記照明部が収納されて、重なり合い一体型のピクトサイン装置となる、
ことを特徴とする個室トイレ用ピクトサイン装置。
【請求項２】
前記枠部材には、矢印図形が設けられた、
ことを特徴とする請求項１記載の個室トイレ用ピクトサイン装置。
【請求項３】
前記照明部は、閉扉時に、点灯、点滅する、
ことを特徴とする請求項１または請求項２記載の個室トイレ用ピクトサイン装置。
【請求項４】
前記一体型のピクトサイン装置には、制御装置が取り付けられ、
該制御装置には、閉扉を感知する閉扉感知部と、該閉扉感知部からの信号により閉扉後の経過時間を計測する閉扉後経過時間計測部と、計測された閉扉後経過時間の情報から、前記照明部の動作任意時間を設定する任意時間設定部と、を有する、
ことを特徴とする請求項１、請求項２または請求項３記載の個室トイレ用ピクトサイン装置。
【発明の詳細な説明】
【技術分野】
【０００１】
本発明は、例えば、個室トイレの扉と扉枠に設けられたピクトサイン装置に係り、特に該扉と隣接する扉枠に男性あるいは女性を示す図形サインと閉扉する方向への矢印が組み合わさったいわゆるピクトサインを形成し、例えば、トイレ未使用時には利用可能な情報を表示し、使用時には他の個室トイレへ移動することを表示することが出来る個室用扉と扉枠に設けられたピクトサイン装置に関するものである。
【背景技術】
【０００２】
ここで、ピクトサインとは、何らかの情報や注意を示すために表示される視覚記号（マーク）を指標する。例えば鉄道駅や空港などの公共空間で主に使用され、文字による表現の代わりに視覚的な図で表現することで言葉の違いによる制約を受けずに確実、迅速に情報の伝達を行うことができるとの特徴を有している。
【０００３】
近年、例えば個室トイレの利用にあたり、個室内での長時間のスマートホンの操作や居眠り等、本来の利用目的以外で不正に長時間トイレを利用する人が多いとの事態が招来している。そして、前記の様な事態は、個室トイレを利用したい他の多くの人に迷惑をかけることとなる。
【０００４】
その対応策として、一定の利用時間が経過すると、ブザーなどの鳴動で個室トイレ内の利用者に警告するものが存在している。しかし、個室トイレの外部についてもその警告音が響き渡ることによって正当な他の利用者に対して不快感を与えてしまう恐れがあった。
【０００５】
また、時間の経過に伴い個室トイレ内の利用者に動きがないと照明が暗くなるものもあるが、手などを動かすと直ちに照明が明るくなるため効果的ではない。
【０００６】
さらに、従来では、個室トイレの外に長時間利用していることを表示させるサインを設けた扉は存在するが、個室トイレの内部に前記情報を示すサインを設けた扉は存在しないものであり、もって内部の利用者には、前記長時間利用していることを表示する情報が全く伝わらないのが現状であった。そのため、これも長時間利用していることを認識させるためにはあまり効果的ではなかった。
【０００７】
また、不特定多数の人の利用を前提として設置されている個室空間であっても、例えば個室トイレ内などはプライバシーを守ることが当然とされた空間である。しかし、それを奇貨として、本来の利用目的ではない使い方で長時間居座ることは、大きく使用目的を逸脱していると言える。
【０００８】
しかしながら、その利用状況をカメラなどで監視することは勿論できず、あくまでも利用者個人の自主的な使い方（使用時間）に依存するしかないのが実情であった。
【先行技術文献】
【特許文献】
【０００９】
【特許文献１】特開２００２−５０４８９号公報
【特許文献２】特開２０１７−２１２００３号公報
【特許文献３】特開２００５−３０５１２３号公報
【特許文献４】特開２０１７−５１３７７号公報
【発明の概要】
【発明が解決しようとする課題】
【００１０】
かくして、本発明は、前記従来の課題を解決するために創案されたものであり、利用者に視覚で個室トイレの利用時間情報を知らせることにより、不正な利用者に後ろめたい気持ちを持たせることが出来、同時にその利用時間情報を個室トイレの外部にも表示させることで必要最低限の利用時間で済ませることを促すことが出来、多くのトイレ利用者の不快感を解消することも出来、次の利用者もすみやかに快適な利用ができ、また、個室トイレ内で体調を壊した利用者に対しても速やかな対処を行うことさえもできる個室トイレなどの個室用扉と扉枠に設けられたピクトサイン装置を提供することを目的とするものである。
【課題を解決するための手段】
【００１１】
本発明は、扉に、男性あるいは女性を模った枠部材を扉から扉に隣接する扉枠の表面側に跨がる様に延出して取り付け、
扉に隣接する扉枠には、前記枠部材の男性あるいは女性を模った図形で囲まれた空間内に収まる形状とされた照明部が設けられ、
閉扉時には、前記枠部材の男性あるいは女性を模った図形で囲まれた空間内に前記照明部が収納されて、重なり合い一体型のピクトサイン装置となる、
ことを特徴とし、
または、
前記枠部材には、矢印図形が設けられた、
ことを特徴とし、
または、
前記照明部は、閉扉時に、点灯、点滅する、
ことを特徴とし、
または、
前記一体型のピクトサイン装置には、制御装置が取り付けられ、
該制御装置には、閉扉を感知する閉扉感知部と、該閉扉感知部からの信号により閉扉後の経過時間を計測する閉扉後経過時間計測部と、計測された閉扉後経過時間の情報から、前記照明部の動作任意時間を設定する任意時間設定部と、を有する、
ことを特徴とするものである。
【発明の効果】
【００１２】
本発明の個室トイレ用扉と扉枠に設けられたピクトサイン装置によれば、
利用者に視覚で個室トイレの利用時間情報を知らせることにより、不正な利用者に後ろめたい気持ちを持たすことが出来、同時にその利用時間情報を個室トイレの外部にも表示させることで必要最低限の利用時間で済ませることを促すことが出来、多くのトイレ利用者の不快感を解消することも出来、次の利用者もすみやかに快適な利用ができ、また、個室トイレ内で体調を壊した利用者に対しても速やかな対処を行うことさえもできるとの優れた効果を奏する。
【図面の簡単な説明】
【００１３】
【図１】本発明の実施例の構成を説明する説明図（１）である。
【図２】本発明の実施例の構成を説明する説明図（２）である。
【図３】本発明の実施例の構成を説明する説明図（３）である。
【図４】本発明の実施例の構成を説明する説明図（４）である。
【図５】本発明の実施例の構成を説明する説明図（５）である。
【図６】本発明の実施例の構成を説明する説明図（６）である。
【図７】本発明による制御装置の構成を説明する説明図である。
【発明を実施するための形態】
【００１４】
以下、本発明を図に示す一実施例に基づいて説明する。
符号１は、例えば、個室トイレに設置されている扉を示す。本実施例の扉１は、右吊り型の扉１で、かつ内側に開扉するよう構成されている。尚、本発明の扉１は左吊り型の扉１でも構わないし、外側に開扉出来る扉１でも構わない。このような扉でも本発明を実施できる。
【００１５】
そして、この扉１の表面側がトイレの外側になるよう構成されており、扉１における右の吊り元部分箇所の近傍位置に、男性あるいは女性を示すピクトサイン図形２が設けられている。そして、この男性あるいは女性を示すピクトサイン図形２は扉１から扉１に隣接する扉枠５の表面側に跨がる様に延出して設けられている。
【００１６】
該男性あるいは女性を示すピクトサイン図形２は、男性あるいは女性を模った枠状部材で形成されて、枠の内側は空間になっている。そして、その材質はプラスチック部材でも金属部材でも木製部材でも構わないものである。
【００１７】
図には、内側に開扉する扉１が示されており、該扉１には、内側に開扉された扉１から前記男性あるいは女性を示すピクトサイン図形２と共に、トイレの外側から内側へ向かっての矢印が矢印図形３によって描かれ、ピクトサイン図形２と矢印図形３とが一体的に設けられたピクトサイン本体４が取り付けられている。
【００１８】
そして、扉１の端部からは前記ピクトサイン本体４のうち前記男性あるいは女性を示すピクトサイン図形２の大半が扉１から外側へ飛び出るように構成されている。
尚、トイレの内部方向に向けられた矢印図形３は、通常、前記ピクトサイン図形２の下側に設けられる。
【００１９】
次に、符号５は、個室トイレなどの扉１に隣接する扉枠であり、扉枠５の外側面には、男性あるいは女性を表すピクトサイン図形２の図形で囲まれた空間内に収まる形状とされた外側ピクトサイン照明部６が設けられている。
【００２０】
該ピクトサイン照明部６は、内部にＬＥＤランプなどの照明部材が取り付けられており、該照明部材が点灯あるいは点滅するよう構成される。さらに、文字も表示できるよう構成されている。
【００２１】
また、トイレの内部の扉枠５裏面において、例えば、前記外側ピクトサイン照明部６と同様の位置に内側ピクトサイン照明部７が設けられる。この内側ピクトサイン照明部７は、トイレなどの個室空間内にいる人が可視できるよう設けられたもので、例えば長時間トイレ内にいることなどの注意喚起のためなどに使用される。
【００２２】
該内側ピクトサイン照明部７の形成については、前記外側ピクトサイン照明部６の厚みを扉１の厚みとほぼ同様にし、トイレの内側においてもピクトサインが可視出来るように、外側ピクトサイン照明部６と内側ピクトサイン照明部７とを一体的に構成しても構わないし、それぞれ別部材として構成しても構わない。
【００２３】
ところで、外開きの扉１に本発明を適用したときは、前記ピクトサイン図形２と矢印図形３とが一体的に設けられたピクトサイン本体４は、扉１を外側に開扉したときに、折れ曲がり可能な構造にしておくことが必要である。
【００２４】
以上において、本発明におけるピクトサイン装置の操作につき説明する。
ここで、ピクトサイン装置は、制御装置８を有しており、該制御装置８は例えば扉枠５内に埋設されて取り付けられている。
【００２５】
制御装置８は、電源部９、閉扉感知部１０、閉扉後経過時間測部１１、外側ピクトサイン照明部点灯指示部１２、内側ピクトサイン照明部点灯指示部１３、外側ピクトサイン照明部点滅指示部１４、内側ピクトサイン照明部点滅指示部１５、照明色変更部１６、文字表示指示部１７、任意時間設定部１８などを有している。
【００２６】
図１は本発明による個室用扉１と扉枠５に設けられたピクトサイン装置を個室トイレに設置し、その扉１を開扉している状態を示す説明図である。
【００２７】
扉１を内側に向けて開扉すると、ピクトサイン図形２はトイレの内部に向かって垂直な矢印を示すものとなり、この矢印はトイレが空いており、入室可能なことを示すものとなる。
【００２８】
また、トイレに入室し、扉１が閉扉されると、図２に示す状態となり、このとき、閉扉感知部１０が閉扉されたことを感知し、電源部９に閉扉したとの信号を送出する。閉扉感知部１０は、例えば、扉１側にマグネットを取り付け、扉枠５側に前記マグネットを感知するＩＣセンサーを取り付けることなどにより構成できる。
【００２９】
すると、電源部９からの電源がＯＮ状態となり、外側ピクトサイン照明部６は点灯される。それと同時にトイレの内側の内側ピクトサイン照明部７も点灯する。
【００３０】
すると、個室トイレ利用時には、扉１に設置した男性あるいは女性の形を模った枠状のピクトサイン図形２と矢印図形３が、扉枠５の外側に設置した男性あるいは女性の形を有するＬＥＤ照明などの点灯あるいは点滅可能な外側ピクトサイン照明部６とが重なり合い一体型のピクトサイン装置となる。
【００３１】
また、前記したように外側ピクトサイン照明部６の設置位置とほぼ同一位置の扉枠５の内側には、外側ピクトサイン照明部６と同機能の内側ピクトサイン照明部７が設置されている。
よって、個室トイレの利用者には、その利用時間情報をこの内側ピクトサイン照明部７の点灯や点滅によって報知する装置となっている。
【００３２】
さらに、外側ピクトサイン照明部６は、報知している利用時間情報をトイレの次の利用者にも報知出来る構成になっており、トイレ内で体調を崩した人がいる場合など、前記の外側ピクトサイン照明部６の点灯や点滅により管理者が発見し易い目安ともなる装置となっているのである。
【００３３】
ここで、前述した様に、扉１が閉扉していることを、たとえば扉１側に設置したピクトサイン図形２に仕込んだマグネットを、扉枠５の外側ピクトサイン照明部６に仕込んだ、前記マグネットを感知するＩＣセンサーで感知し、すなわち、閉扉感知部１０によって感知し、その利用継続時間が閉扉後経過時間計測部１１で計測される。具体的にはカウンターなどが内設され、該カウンターにより閉扉後経過時間がカウントされる。
【００３４】
尚、トイレ未使用時には、扉１が閉まっているタイプの個室トイレについては、扉１のロック状態を感知するセンサーを使用しても良い。すなわち、これが閉扉感知部１０を構成することになる。
【００３５】
ここで、トイレの入室時間の長短を報知する方法として、外側ピクトサイン照明部６と内側ピクトサイン照明部７は、点灯するに際し、色の薄い点灯状態から開始するものとし、設定された任意の閉扉後の経過時間の一定時間が経過すると、濃い点灯に変更するよう構成する。
【００３６】
前記外側ピクトサイン照明部６と内側ピクトサイン照明部７についての点灯の開始時間の設定は、閉扉後経過時間計測部１１からの経過時間を任意時間設定部１８が受け取り、設定された経過時間になったとき、その情報を外側ピクトサイン照明部点灯指示部１２及び内側ピクトサイン照明部点灯指示部１３に送出して開始される。
【００３７】
さらに時間が経過すると、点灯状態からゆっくりとした点滅状態に変わり、更なる任意の時間の経過とともに、その点滅が早くなるものとすることができる。
【００３８】
ここで、外側ピクトサイン照明部６と内側ピクトサイン照明部７についての点滅の開始時間の設定についても、閉扉後経過時間計測部１１から経過時間を設定して任意時間設定部１８が受け取り、設定された経過時間になったとき、その情報を外側ピクトサイン照明部点滅指示部１４及び内側ピクトサイン照明部点滅指示部１５に送出して開始される。
【００３９】
なお、前記点灯状態から点滅状態に変わる段階から、あるいは点滅の間隔をある段階から、色を変化させ、より報知力を高める装置とすることも出来るし、さらに、その色の変化を複数にすることも出来る。これらは照明色変更部１６によって行われる。
【００４０】
そして、前記任意時間設定部１８における任意の一定時間の設定は、女性専用トイレ夏場、女性専用トイレ冬場、男女使用可能トイレ夏場、男女使用可能トイレ冬場、男性専用トイレなどに分類して設定することも出来、制御装置８に設置したモードスイッチなどで切り替えて行うことも出来る。さらに、一度設定した任意時間を再度任意に設定し直すことも可能である。
【００４１】
また、外側ピクトサイン照明部６や内側ピクトサイン照明部７の点灯（点滅）で知らせるタイプに加えて、制御装置８に文字表示指示部１７を設け、該文字表示指示部１７により利用時間を数字で表したものを外側ピクトサイン照明部６や内側ピクトサイン照明部７に表示することが出来る。
【００４２】
さらに、前記文字表示指示部１７によって、前記外で待っている利用者がいる場合には、「待っている人がいます！」などとメッセージを内側ピクトサイン照明部７に表示できるタイプにすることも出来る。
【００４３】
体調を崩し、外部からの助けを必要とする利用者には、内側ピクトサイン照明部７あるいはその下側にスイッチを設けて、該スイッチを押すと、文字表示指示部１７が作動し、外側ピクトサイン照明部６に「助けてください！」などの表示が出る機能を有したものとすることも出来る。
【符号の説明】
【００４４】
１    扉
２    ピクトサイン図形
３    矢印図形
４    ピクトサイン本体
５    扉枠
６    外側ピクトサイン照明部
７    内側ピクトサイン照明部
８    制御装置
９    電源部
１０  閉扉感知部
１１  閉扉後経過時間計測部
１２  外側ピクトサイン照明部点灯指示部
１３  内側ピクトサイン照明部点灯指示部
１４  外側ピクトサイン照明部点滅指示部
１５  内側ピクトサイン照明部点滅指示部
１６  照明色変更部
１７  文字表示指示部
１８  任意時間設定部
【図１】
2019208547.tif 000003
【図２】
2019208547.tif 000004
【図３】
2019208547.tif 000005
【図４】
2019208547.tif 000006
【図５】
2019208547.tif 000007
【図６】
2019208547.tif 000008
【図７】
2019208547.tif 000009